(57)【要約】【課題】シャッターカーテン１が強風を受けて撓んだ場合に、スラット２に形成の係止凹部６がガイドレール３に形成のモヘヤポケット９の左右方向外側突条９ａに係止して抜け止めされる機能を向上させる。【解決手段】モヘヤポケット９の左右方向外側突条９ａの先端に係止部９ｅを突出形成して左右方向内側突条９ｂよりも背高にし、これによって係止凹部６が左右方向外側突条９ａに係止して抜け止めされるシャッターカーテンの撓み角を大きく確保できるようにする。【選択図】図６
2008008074.tif 000002
【特許請求の範囲】
【請求項１】
複数枚のスラットを一連状に連結して形成されるシャッターカーテンの左右両端部をガイドレールに遊嵌して構成される建築用シャッターにおいて、前記ガイドレールの内面に、左右内外側向に対向する一対の突条を用いてモヘアポケットを形成する一方、スラットに、シャッターカーテンが強風を受けて撓んだ場合に左右方向外側の突条に係止してシャッターカーテンの抜け止めするための係止凹部を形成するにあたり、前記左右方向外側の突条を、左右方向内側の突条よりもシャッターカーテン側に突出させて背高の係止部を形成したことを特徴とする建築用シャッター。
【請求項２】
背高の係止部は、モヘアポケットよりもシャッターカーテン側に突出する状態で形成されていることを特徴とする請求項１記載の建築用シャッター。
【請求項３】
背高の係止部は、モヘアポケットを形成している左右方向外側の突条をシャッターカーテン側に偏倚させて傾斜状のモヘアポケットにすることで形成されていることを特徴とする請求項１記載の建築用シャッター。
【請求項４】
係止凹部の溝底長さは、係止部先端から左右方向外側突条の先端に至る長さよりも長い設定になっていることを特徴とする請求項１乃至３の何れか一つに記載の建築用シャッター。
【発明の詳細な説明】
【技術分野】
【０００１】
本発明は、建物の出入り口部等の開口部に取付けられる建築用シャッターの技術分野に属するものである。
【背景技術】
【０００２】
一般に、この種建築用シャッターは、シャッターカーテンをガイドレールでガイドしながら移動させることで開口部の開閉をするようになっているが、この場合に、シャッターカーテンが台風襲来時等において発生する強風を受けてガイドレールから抜出ないよう耐風機構を設けることが要求される場合があり、そこで従来、シャッターカーテンを構成するスラットの端部に耐風フックを設け、該耐風フックをガイドレールに設けた係止部に係止することで抜け止めするようにしていた。ところがこのものは、耐風フックが別部材として必要になるため部品点数が多くなるだけでなく、シャッターカーテンを巻き取ったとき、耐風フックが邪魔になって好ましい巻き形状になることを阻害し、さらには該耐風フックをスラットに取り付ける工程が必要になる等の問題がある。
そこでスラットのガイドレールに呑み込まれる左右方向端部に係止凹部を形成し、該係止凹部を、ガイドレールの内面に突設した左右内外方向に一対の突条で形成されるモヘアポケットに係止してシャッターカーテンの抜け止めをするようにしたものが知られている（例えば特許文献１、２）。
【特許文献１】特許第３４７９７４１号公報
【特許文献２】特許第３５９６８１４号公報
【発明の開示】
【発明が解決しようとする課題】
【０００３】
この場合に、前記特許文献１のものは、左右方向外側（ガイドレールの溝奥側）の突条に、スラットに形成の係止凹部を係止することでシャッターカーテンのガイドレールからの抜け止めをする構成になっている。このものは、図９に示すように内外側突条は突出量が等しいものであって、シャッターカーテンの撓み角が小さい場合には係止凹部２０は外側突条２１に係止するが、撓み角が大きくなると係止凹部２０の外側突条２１との係止が外れ、内側突条２２（ガイドレール入口端側）に係止するという二段階の係止がなされることになる。ところでシャッターカーテンが撓む場合に、全てが均一に撓むことがなく、不揃いな撓みをするのが通常であるため、外側突条との係止が外れて内側突条に係止したとしてもこれは一部であって、残りは外側突条に係止したままになるという変則的な係止状態になってしまうという問題がある。
一方、特許文献２のものは、係止凹部が最初から内側突条に係止するようにしたものである。このように内側突条に係止させてシャッターカーテンの抜け止めをさせる場合、滑りやすい素材で形成されるモヘアを薙ぎ倒す状態で係止しなければならないため、モヘアが邪魔になって抜け止め係止の確実性が低下するだけでなく、モヘアが痛むという問題がある。そのうえ厳寒時においてモヘアに浸入した水が凍結したりしてモヘアポケットが硬く詰まっているような状態になった場合、係止凹部の内側突条への係止ができなくなるという問題がある。そのうえシャッターカーテンは、係止凹部の係止が外側突条から内側突条に移動した分だけガイドレールから抜出た状態になるため、より撓みやすいものになって抜け止め機能がさらに低下するという問題もあり、ここに本発明の解決すべき課題がある。
【課題を解決するための手段】
【０００４】
本発明は、上記の如き実情に鑑みこれらの課題を解決することを目的として創作されたものであって、請求項１の発明は、複数枚のスラットを一連状に連結して形成されるシャッターカーテンの左右両端部をガイドレールに遊嵌して構成される建築用シャッターにおいて、前記ガイドレールの内面に、左右内外側向に対向する一対の突条を用いてモヘアポケットを形成する一方、スラットに、シャッターカーテンが強風を受けて撓んだ場合に左右方向外側の突条に係止してシャッターカーテンの抜け止めするための係止凹部を形成するにあたり、前記左右方向外側の突条を、左右方向内側の突条よりもシャッターカーテン側に突出させて背高の係止部を形成したことを特徴とする建築用シャッターである。
請求項２の発明は、背高の係止部は、モヘアポケットよりもシャッターカーテン側に突出する状態で形成されていることを特徴とする請求項１記載の建築用シャッターである。
請求項３の発明は、背高の係止部は、モヘアポケットを形成している左右方向外側側の突条をシャッターカーテン側に偏倚させて傾斜状のモヘアポケットにすることで形成されていることを特徴とする請求項１記載の建築用シャッターである。
請求項４の発明は、係止凹部の溝底長さは、係止部先端から左右方向外側突条の先端に至る長さよりも長い設定になっていることを特徴とする請求項１乃至３の何れか一つに記載の建築用シャッターである。
【発明の効果】
【０００５】
請求項１の発明とすることにより、係止凹部が左右方向外側突条に係止することでシャッターカーテンの抜け止めをするものでありながら、係止凹部が係止する係止部が左右方向内側突条よりも背高になっている結果、シャッターカーテンが大きく撓んだ状態になっても係止凹部の係止が維持されることになって、耐風機能が向上する。
請求項２または３の発明とすることにより、背高の係止部を確実に提供できることになる。
請求項４の発明とすることにより、シャッターカーテンの抜け止めをするときの撓み量をより大きく確保することができる。
【発明を実施するための最良の形態】
【０００６】
次に、本発明の実施の形態を図面に基づいて説明する。図面において、１は建築用シャッターを構成するシャッターカーテンであって、該シャッターカーテン１は、複数枚のスラット２を一連状にインターロック結合することで構成され、開口部の左右に立設したガイドレール３に左右両側縁部が呑み込まれた状態で組み付けられる。そして該シャッターカーテン１は、電動シャッターの場合には図示しない電動開閉機の駆動に基づいてガイドレール３に案内されながら開閉作動するようになっていること等は何れも従来どおりであるので、その詳細については省略する。
【０００７】
前記スラット２は、左右方向に長い長尺体であってロールフォーミングによって形成されるものであるが、上下縁部には上側結合部４、下側結合部５がそれぞれ形成され、上側結合部４を下側結合部５に左右方向からスライド嵌入することで前記スラット２同志のインターロック結合がなされるようになっている。
【０００８】
前記上側結合部４には、その左右端部が切落とされた切落とし部４ａが形成されている一方、下側結合部５には、前記切落とし部４ａの左右端位置よりも僅かに左右方向外側位置から該左右端位置を越えた左右方向内側位置までを打ち抜いた打ち抜き部５ａが形成されている。そして前記インターロック結合されたスラット２同志は、下側結合部５の打ち抜き部５ａよりも左右方向外側部位を押し潰して押し潰し部５ｂを形成することで、左右方向の抜け止め（移動規制）がなされるようになっている。そしてこのように抜け止めすることで、上下側結合部４、５同志は切落とし部４ａの左右方向外端縁と打ち抜き部５ａの左右方向外端縁とが対向する切断端縁同志（エッジ同志）の突き当てによる抜け止めがなされることになって、従来の傾斜状に押し潰して抜け止めをしたもの（前記特許文献１参照）のように傾斜面で突き合わせて抜け止めしたのものに比して、寸法精度の高い抜け止め連結がなされるように設定されている。
【０００９】
さらに上下側結合部４、５には、前記抜け止め加工部位よりも左右方向内側位置がそれぞれ切欠かれて切欠き部４ｃ、５ｃが形成され、これら切欠き部４ｃ、５ｃによって後述するように本発明の係合凹部６が形成されている。上側結合部４に形成される上側切欠き部４ｃは、左右方向内外両端縁４ｄ、４ｅが上側結合部４に対して直角状に切欠かれたものになっている。これに対し、下側結合部５に形成される下側切欠き部５ｃは、左右方向内側端縁５ｄは内側ほど浅くなった傾斜状に切欠かれ、外側端縁５ｅは直角状に切欠かれている。そしてこれら上下切欠き部４ｃ、５ｃは、外側端縁４ｅ、５ｅが左右方向同一位置で切欠かれているが、内側端縁４ｄ、５ｄについては、インターロック結合表面側になる下側切欠き部５ｃの内側端縁５ｄが上側切欠き部４ｃの内側端縁４ｄよりも左右方向外側に位置する寸法設定で切欠かれており、これによって上側切欠き部４ｃが下側切欠き部５ｃに対して左右方向内側に長い設定になっていて、前記抜け止め状にスラット２同志を組込んだ場合に、係合凹部６は、内側端縁４ｄが内側端縁５ｄに隠れる状態になって左右方向内側端が傾斜状の端縁（内側端縁５ｄによって形成される）６ａに、左右方向外側端縁が直角状の端縁（外側端縁４ｅ、５ｅによって形成される）６ｂになるように設定されている。つまりこのものでは、隣接するスラット同志はインターロック結合より連結されたものであり、係合凹部は、該インターロック結合するためスラットに形成される上下両連結部を切り欠いて形成されたものである
【００１０】
一方、前記ガイドレール３は、左右方向内側が開口した略コ字形の溝型材で構成されているが、その開口部３ａの屋内外両内面には、モヘア７を挿入組込みするためのモヘアポケット８、９が形成されている。そして屋外側のモヘアポケット９に本発明が実施されている。つまり、該モヘアポケット９は、左右方向外側（溝奥側）の突条９ａと左右方向内側（入口側）の突条９ｂとによって構成されているが、両突条９ａ、９ｂは、幅広となったモヘア基部７ａを抜け止め状に嵌合すべく先端部９ｃ、９ｄが互いに対向する側に折曲されている。さらに左右方向外側突条９ａの先端にはシャッターカーテン１側（屋内側）に向けて突出して背高状になった係止部９ｅが形成されている。
【００１１】
そしてシャッターカーテン１の左右両端部がガイドレール３に遊嵌した通常の状態では、前記係止凹部６はモヘアポケット９よりも左右方向外側（溝奥側）に位置している（図６（Ａ）参照）が、強風を受けてシャッターカーテン１が屋外側に撓んだ場合、該シャッターカーテン１は傾斜した状態でガイドレール３から抜け出る方向（左右方向内側）に移動して係止凹部６がモヘアポケット９位置に達すると、左右方向外側端縁６ｂが外側突条９ａに突設の係止部９ｅに係止して抜け止めされるようになっている。この場合に、係止凹部６の溝底６ｃの長さＸは、係止部９ｅの先端から左右方向内側突条９ｂの先端までの長さＹよりも長くなる設定になっており、これによって係止凹部６は、外側端縁６ｂが係止部９ｅに係止した抜け止め状態において、入口側突条９ｂの先端が係止凹部溝底６ｃから離間した傾斜姿勢（図６（Ｂ）参照）から当接した大きな傾斜姿勢（図６（Ｃ）参照）に至るまでは、外側端縁６ｂが係止部９ｅによく係止した状態での抜け止めがなされることになる。
【００１２】
叙述の如く構成された本発明の実施の形態において、シャッターカーテン１が強風を受けて屋外側に撓んだ場合、係止凹部６の左右方向外側端縁６ｂがモヘアポケット９の左右方向外側端縁９ａに突設した係止部９ｅに係止してシャッターカーテン１のガイドレール３からの抜け止めがなされ、これによって左右方向内側突条９ｂに係止する場合のようにモヘア７を薙ぎ倒す状態で係止することが必要なく確実な抜け止め係止がなされるが、前記係止部９ｅは、左右方向内側突条９ｂよりも背高になっているため、シャッターカーテン１は、大きな撓み角度になるまで抜け止め係止がなされることになって抜け止め機能が向上する。
【００１３】
そのうえこのものでは、係止凹部６が、隣接するスラット２同志をインターロック結合している上下結合部４、５に形成の切欠き部４ｃ、５ｃによって形成されているため、前記抜け止め係止時にシャッターカーテン１側に働く負荷を両スラット２で受けることになって強度アップが計れることになる。そしてこの場合に、上側切欠き部４ｃが下側切欠き部５ｃに対して左右方向内側に長い設定になっているため、前記抜け止め状にスラット２同志を組込んだ場合に、同じ長さにした場合、係合凹部６は、加工誤差があっても内側端縁４ｄが内側端縁５ｄに隠れる状態になる。この結果、係止凹部６は、左右方向内側端が必ず傾斜状の端縁６ａになって、前記シャッターカーテン１が撓んだ抜け止め姿勢から元姿勢に復帰するとき、傾斜端縁６ａに係止部９ｅが引っ掛かってしまうことを回避し、円滑な復帰ができることになる。
【００１４】
しかもこのものでは、係止凹部溝底６ｃの長さＸが、係止部９ｅの先端から左右方向内側凸条９ｂの先端までの長さＹよりも長い設定になっているから、係止凹部６は、左右方向外側端縁６ａが左右方向外側にある係止部９ｅに係止した状態で、溝底６ｃが左右方向内側突条９ｂから離間した状態から当接する状態までは安定した抜け止め係止がなされることになって一段と抜け止め機能が向上する。
【００１５】
尚、本発明は前記実施の形態に限定されるのでないことは勿論であって、屋内側への抜け止めも必要である場合には屋内側モヘアポケットについても同様に構成することができる。また、係止凹部は、インターロック結合部に形成することなく、スラットの腹部に形成することもできる。
【００１６】
また本発明は、例えば図７（Ａ）〜（Ｃ）に示す第二〜第四の実施の形態のようにすることができる。第二の実施の形態のものは、モヘアポケット９のモヘア基端部７ａが挿入する部位の板厚が、ガイドレール３の板厚と同じ設定になっており、そして屋外側モヘアポケット９については、左右方向外側突条９ｂの先端から屋内側に向けて係止部９ｅが突出する構成になっているのに対し、屋内側モヘアポケット８については、左右方向両突条８ａ、８ｂの互いに対向する側に折曲した先端部８ｃ、８ｄの厚さを、屋外側モヘアポケット９の左右方向外側突条９ｂから係止部９ｅを突出させた分だけ肉厚にし、これによって両モヘアポケット８、９の先端から突出するそれぞれのモヘア７の突出量Ｓを揃える（同じになる）ようにして、モヘア７先端位置がガイドレール３のカーテン心位置Ｇから等距離に位置するようにしたものである。
また、第三の実施の形態のものは、左右方向外側突条９ｂの先端に係止部を形成する場合に、該外側突条９ｂの先端部９ｃの肉厚をシャッターカーテン側に厚くしたものであり、第四の実施の形態のものは、左右方向外側突条９ｂの長さを単純に長くしたものであり、このようにしても実施することができる。
【００１７】
さらにまた本発明は、図８（Ａ）に示す第五の実施の形態のようにしても実施することもできる。この第五の実施の形態のものは抜け止め機能がある屋外側モヘアポケット１０について、左右方向外側突条１０ａをシャッターカーテン１側に偏倚させて傾斜状にしたものであり、このようにすることで該左右方向外側凸条１０ａ自体が左右方向内側突条１０ｂに対して背高になって前記第一の実施の形態のものと同様、高い抜け止め機能を発揮することになる。
【００１８】
さらに図８（Ｂ）に示す第六の実施の形態のものは、背高の係止部９ｅについては第一の実施の形態のモヘアポケット９をそのまま採用しているが、ガイドレール３について、該モヘアポケット９が形成されるガイド面とは逆側のガイド面に、シャッターカーテン１が撓んで係止凹部６が係止部９ｅに係止した抜け止め状態でスラット２の左右方向外端２ａが当接してシャッターカーテン１のこれ以上の撓み規制をする規制部３ｂを突出形成したものであり、このようにすることで、シャッターカーテン１の抜け止め機能を向上できるが、この場合において、シャッターカーテン１が撓んで係止凹部６の係止部９ｅに対する係止が外れる以前の段階でスラット２の左右方向外端２ａが規制部３ｂに当接してこれ以上シャッターカーテンが撓まないように設定することで、より確実な抜け止め機能を発揮できる。そしてこのとき、モヘアポケット９の左右方向内側突条９ｂの先端に係止凹部６の溝底６ｃが当接した状態でスラット２の左右方向外端２ａが当接するように設定することで、強風を受けて撓んだ状態のスラット２は、一方側において三箇所での支持がなされた状態になるため、スラット２の抜け止めと共に安定化が図れることになる。
つまりこの実施の形態のものでは、シャッターカーテンの抜け止めするためのモヘアポケットが形成されるガイドレールのガイド面とは逆側のガイド面に、シャッターカーテンが撓んで係止凹部が係止部に係止した抜け止め状態でスラットの左右方向外端が当接してシャッターカーテンのこれ以上の撓み規制をする規制部を突出形成している。
この場合に規制部は、シャッターカーテンが撓んで係止凹部の係止部に対する係止が外れる以前の段階でスラット左右方向外端が当接するように設定されている。
しかも規制部は、シャッターカーテンが撓んで係止凹部が係止部に係止すると共に、モヘアポケットの左右方向内側の突条の先端に係止凹部の溝底面が当接した状態でスラット左右方向外端が当接するように設定されている。
【図面の簡単な説明】
【００１９】
【図１】建築用シャッターの概略正面図である。
【図２】シャッターカーテンの部分正面図である。
【図３】シャッターカーテンの部分側面図である。
【図４】（Ａ）（Ｂ）（Ｃ）（Ｄ）はスラットの正面図、平面図、底面図、側面図である。
【図５】（Ａ）（Ｂ）（Ｃ）は係合凹部部位の拡大側面断面図、インターロック結合部の拡大側面図、インターロック結合部分の拡大正面図である。
【図６】シャッターカーテンがガイドレールに嵌合した状態を示すものであって、（Ａ）は通常状態を、（Ｂ）（Ｃ）はシャッターカーテンが撓んで抜け止めされている状態を平面視した説明図、（Ｄ）は屋外側モヘアポケットの拡大平面図である。
【図７】（Ａ）（Ｂ）（Ｃ）は第二〜第四の実施の形態を示すガイドレールの平面図である。
【図８】（Ａ）（Ｂ）は第五の実施の形態、第六の実施の形態を示す平面図である。
【図９】（Ａ）（Ｂ）（Ｃ）は従来の建築用シャッターの抜け止め状態を平面視した説明図である。
【符号の説明】
【００２０】
１    シャッターカーテン
２    スラット
３    ガイドレール
６    係合凹部
６ａ  左右方向内側端
６ｂ  左右方向外側端
６ｃ  溝底
７    モヘア
９    モヘアポケット
９ａ  左右方向外側突条
９ｂ  左右方向内側突条
９ｅ  係止部
【図１】
2008008074.tif 000003
【図２】
2008008074.tif 000004
【図３】
2008008074.tif 000005
【図４】
2008008074.tif 000006
【図５】
2008008074.tif 000007
【図６】
2008008074.tif 000008
【図７】
2008008074.tif 000009
【図８】
2008008074.tif 000010
【図９】
2008008074.tif 000011